(57)【特許請求の範囲】
【請求項１】
缶本体の先端に出口管を突設すると共に、この出口管の周囲に鍔が設けられたガス缶類のガス類抜き具であって、
回動自在に連結された一対の第一及び第二の操作体のそれぞれの後側に第一及び第二の指掛け部を設け、前記第一の操作体の前側に前記出口管の開口縁に当接する当接部を設け、前記第二の操作体の前側に前記鍔に係止可能な取り付け部を設け、かつ前記第一及び第二の操作体間に前記当接部を前記出口管側に押圧する押圧手段を設け、
前記当接部は前記第二の操作体と反対側に突設していると共に、この当接部の突設する左右方向の幅は前記第二の操作体と反対側方向に狭く形成され、かつ前記幅を前後方向に沿って次第に小さく形成し、
前記当接部が前記出口管の開口縁に当接しても開口が塞がれないことを特徴とするガス缶類のガス類抜き具。
【発明の詳細な説明】
【技術分野】
【０００１】
本発明は、カセットガスボンベ、ガスカートリッジ等とも称するガス缶や、エアーゾール缶等とも称するスプレー缶において内部に残っている、ガス、液或いは泡などのガス類を抜くためのガス封入缶のガス抜き具などとも称するガス缶類のガス類抜き具に関するものである。
【背景技術】
【０００２】
従来、この種のものとして交差する左右一対の挟持杆の一方の先端に突起を設けて、缶を一対の挟持杆で挟んだ状態で、針で缶に孔をあけてガスを抜くものが知られている。
【先行技術文献】
【特許文献】
【０００３】
【特許文献１】実開昭６３−１６６９９８号公報
【発明の概要】
【発明が解決しようとする課題】
【０００４】
従来技術においては、缶に孔をあけてガスを抜くものであり、いったん孔をあけると残ったガスの全部が抜け出てしまう。このため、例えば用事ができてガス抜きを途中で停止したり、缶にある程度のガスを残したい場合であっても、ガス抜きを途中で停止できないなどの問題があった。
【０００５】
解決しようとする問題点は、ガス類抜きを途中で簡単に停止できるガス缶類のガス類抜き具を提供する点である。
【課題を解決するための手段】
【０００６】
請求項１のガス缶類のガス類抜き具は、缶本体の先端に出口管を突設すると共に、この出口管の周囲に鍔が設けられたガス缶類のガス類抜き具であって、前記出口管に当接する当接部と、前記鍔に係止可能な取り付け部と、前記当接部を前記出口管側に押圧する押圧手段を備えることを特徴とする。
【０００７】
請求項１のガス缶類のガス類抜き具は、缶本体の先端に出口管を突設すると共に、この出口管の周囲に鍔が設けられたガス缶類のガス類抜き具であって、回動自在に連結された一対の第一及び第二の操作体のそれぞれの後側に第一及び第二の指掛け部を設け、前記第一の操作体の前側に前記出口管の開口縁に当接する当接部を設け、前記第二の操作体の前側に前記鍔に係止可能な取り付け部を設け、かつ前記第一及び第二の操作体間に前記当接部を前記出口管側に押圧する押圧手段を設けたことを特徴とする。
【０００８】
請求項１のガス缶類のガス類抜き具は、前記当接部は前記第二の操作体と反対側に突設していると共に、この当接部の突設する方向の幅は前記第二の操作体と反対側方向に狭く形成され、前記当接部の左右方向の幅を前後方向に沿って次第に小さく形成したことを特徴とする。
【発明の効果】
【０００９】
請求項１の発明によれば、出口管、鍔を挟んだ固定状態で、当接部を押圧手段によって押圧して出口管を缶本体にやや没してガス類抜きができ、ガス類抜き具を出口管より外すことで、ガス類抜きを途中で停止することができる。
【００１０】
請求項１の発明によれば、第一の指掛け部及び第二の指掛け部に指を当てて第一の操作体及び第二の操作体の前側を開いて、第一の操作体と第二の操作体で出口管、鍔を挟んで当接部が押圧手段によって出口管を押圧し続けるとガス類抜きができ、一方、ガス類抜き具を出口管より外すことで、ガス類抜きを途中で停止することができる。
【００１１】
請求項１の発明によれば、出口管に対して当接部が多少位置ずれしたとしても、ガス類抜きが確保される。
【図面の簡単な説明】
【００１２】
【図１】本発明の実施例１を示す斜視図である。
【図２】同正面図である。
【図３】同背面図である。
【図４】同平面図である。
【図５】同底面図である。
【図６】同左側面図である。
【図７】同右側面図である。
【図８】同取り付け状態の正面図である。
【図９】同孔あけ状態の正面図である。
【図１０】要部の拡大断面図である。
【発明を実施するための形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図は実施例１を示しており、ガス缶類の缶本体１は、缶胴２の先端の中央部にステム等と称する出口管３が突設しており、この出口管３の周囲にフランジ等と称する鍔４が設けられている。そして、出口管３は常時上方に付勢されることで閉弁状態となっている。
【００１５】
ガス類抜き具５は、上下一対に配置されそれぞれ平面視でほぼ矩形の金属板からなる第一の操作体６と第二の操作体７とを備え、これら第一の操作体６の左右両側に第二の操作体７に向かう第一の腕部８が一体に設けられ、第二の操作体７の左右両側に第一の操作体６に向かう第二の腕部９が一体に設けられる。これら第一の腕部８、第二の腕部９は第一の操作体６、第二の操作体７のそれぞれの前側、すなわち缶本体１側と、後側、すなわち缶本体１と反対側を結ぶ方向の中間部に配置されている。そして左右方向の一方、実施例では左側に位置された第一の腕部８、第二の腕部９と、左右方向の他方、実施例では右側に配置された第一の腕部８、第二の腕部９を１本の連結用のナット10Ａで抜け止めした軸10で回動自在に連結する。
【００１６】
そして、第一の操作体６と第二の操作体７の後側には指掛けが可能な第一の指掛け部11、第二の指掛け部12が設けられる。また、第一の操作体６の前側の下面に出口管３の開口を塞がないように開口縁13に当接する当接部14を設ける。この当接部14は、第二の操作体７、すなわち出口管３と反対側、すなわち二等辺部14Ａが左右に配置されるように上方へ突設する断面が二等辺三角形状（正三角形状を含む）に形成されたものであって、第一の操作体６の左右方向の中間位置で前後方向に細長く形成されている。このため、当接部14における第二の操作体７と反対側、すなわち上方へ突設する幅Ｘは上方へ次第に狭くなっている。さらに、当接部14の左右方向の幅Ｘは前側が広く後側が狭くなるように長手方向に沿って小さく形成している。尚、前記幅Ｘの最大幅は開口縁13の外径より大きく形成されると共に、前記幅Ｘの最小幅は開口縁13の外径より小さく形成されることで、当接部14のいずれかの位置で当接部14は開口を塞がないように開口縁13に当接できるようになっている。
【００１７】
さらに、前記第二の操作体７の前側に鍔４部の下面に係止する取り付け部15を設ける。この取り付け部15は、第二の操作体７の前側を鍔４部の下面に掛け止めできるように、鍔４とほぼ同じ半径でほぼ半円状に切り欠かれたものである。そして、第一の操作体６と第二の操作体７との間に、当接部14を出口管３側に押圧する押圧手段であるコイルバネ16を設ける。実施例では弾性部材からなる押圧手段は軸10に巻装したトーション型コイルバネ16であって、その一端16Ａを第一の操作体６の後側に接続すると共に、他端16Ｂを第二の操作体７の後側に接続している。これにより、第一の操作体６と第二の操作体７は前後方向の中間部にある軸10を支点、第一の指掛け部11と第二の指掛け部12が力点、当接部14と取り付け部15が作用点とする梃子状に設けられており、そしてガス類抜き具５はクリップ状に缶本体１の出口管３側に取り付けできるようになっている。
【００１８】
また、第二の操作体７の下側に、例えば冷蔵庫の表に取り付けることができるように磁石片17が固定されている。また、第一の操作体６の左前側角のやや右側に左向きの第一の突起18が配置されている。さらに、第二の操作体７の左前側角に前向きの先鋭な第二の突起19が設けられている。
【００１９】
次に前記構成についてその作用を説明する。ガス類の抜きをするときには、第一の指掛け部11、第二の指掛け部12に指を掛けて、押圧することで第一の操作体６と第二の操作体７の前側を開くと、コイルバネ16が圧縮状態となり、そして取り付け部15を鍔４部の下面に掛け止めすると共に、当接部14を出口管３に当接するように位置決めして第一の操作体６と第二の操作体７を缶本体１に取り付ける。次に、第一の指掛け部11、第二の指掛け部12から指を離すと、コイルバネ16の復元力によって第一の操作体６と第二の操作体７の前側が閉じるようになって、当接部14が開口縁13を下方に押圧することによって、出口管３が缶本体１にやや没して開弁状態になる。この結果、缶本体１内のガスは、出口管３の開口、二等辺三角形に形成された当接部14の中間空間20を介して大気に放出することができる。
【００２０】
ガス類の抜きを途中で停止する場合には、第一の指掛け部11、第二の指掛け部12に指を掛けてコイルバネ16に抗して第一の操作体６と第二の操作体７の前側を開き、そして当接部14を開口縁13より離すと共に、取り付け部15を鍔４部の下面より抜き出す。これにより、押圧されていた出口管３が缶本体１側より突設して閉弁状態になり、ガス類抜きを停止することができる。
【００２１】
尚、缶本体１に従来と同様に孔をあけてガス類の抜きするときは、図９，10に示すように第一の突起18を缶本体１の底縁21に係止した状態でガス類抜き具５を回動することで、第二の突起19を缶胴２に差し込んで孔をあけることができるようになっている。
【００２２】
以上のように、前記実施例では缶本体１の出口管３に当接する当接部14と、缶本体１の鍔４に掛け止可能な取り付け部15と、当接部14を出口管３側に押圧する押圧手段であるコイルバネ16を設けたことで、第一の操作体６と第二の操作体７で出口管３、鍔４を挟んだ固定状態で、当接部14を押圧手段によって押圧する押圧中では出口管３が缶本体１にやや没してガス類抜きができ、そしてガス類抜き途中においてガス類抜き具５を外すことで、ガス類抜きを途中で簡単に停止することができる。
【００２３】
また、回動自在に連結された第一の操作体６及び第二の操作体７のそれぞれの後側に第一の指掛け部11及び第二の指掛け部12を設け、第一の操作体６の前側に出口管３の開口縁13に当接する当接部14を設け、第二の操作体７の前側に鍔４に係止可能な取り付け部15を設け、かつ第一の操作体６及び第二の操作体７間に当接部14を出口管３側に押圧する押圧手段を設けたことにより、第一の指掛け部11及び第二の指掛け部12に指を当てて第一の操作体６及び第二の操作体７の前側をコイルバネ16の弾性に抗して開き、第一の操作体６と第二の操作体７で出口管３、鍔４を挟み、そして指を離すとコイルバネ16の復元力によって当接部14が押圧手段によって出口管３を押圧し続けることで指を離しても連続してガス類抜きができる。
【００２４】
そしてガス類抜き途中において、第一の指掛け部11及び第二の指掛け部12に指を当てて第一の操作体６及び第二の操作体７の前側をコイルバネ16の弾性に抗して開いた後、ガス類抜き具５を出口管３より外すことで、ガス類抜きを途中で簡単に停止することができる。
【００２５】
さらに、前記当接部14は第二の操作体７と反対側に突設していると共に、この当接部14の突設する方向の幅Ｘは第二の操作体７と反対側方向に狭く形成されているので、各種のガス缶類に対応でき、またガス類抜き具５の取り付け時や取り付け途中で、出口管３に対して当接部14が多少位置ずれしたとしても、ガス類抜きのための中間空間20が確保される。同様に、当接部14の左右方向の幅Ｘを前後方向に沿って次第に小さく形成したことによってもガス類抜きのための中間空間20が確保される。
【産業上の利用可能性】
【００２６】
以上のように本発明に係るガス類抜き具は、各種の用途に適用できる。例えば、出口管は出口が横向きなっているノズルが一体に設けられているようなものでもよい。
【符号の説明】
【００２７】
１  缶本体
３  出口管
４  鍔
６  第一の操作体
７  第二の操作体
11  第一の指掛け部
12  第二の指掛け部
14  当接部
15  取り付け部
16  コイルバネ（押圧手段）
Ｘ  幅
【図１】
0005737780.tif 000002
【図２】
0005737780.tif 000003
【図３】
0005737780.tif 000004
【図４】
0005737780.tif 000005
【図５】
0005737780.tif 000006
【図６】
0005737780.tif 000007
【図７】
0005737780.tif 000008
【図８】
0005737780.tif 000009
【図９】
0005737780.tif 000010
【図１０】
0005737780.tif 000011